(57)【要約】【課題】複数の聴取位置に対して夫々異なる音響を出力する音響システムにおいて、聴取者の感覚に依らずに、聴取位置間の漏れ音の程度を簡易に把握可能とすることを課題とする。【解決手段】音響システムにおいて、座席Ａ、Ｂ、Ｃ、Ｄに対して夫々異なる音響を出力するスピーカ１７ａ、１７ｂ、１７ｃ、１７ｄと、座席Ａにおける、スピーカ１７ｂ、１７ｃ、１７ｄによって座席Ｂ、Ｃ、Ｄに対して出力された音響の漏れ音の程度と、座席Ｂにおける、スピーカ１７ａ、１７ｃ、１７ｄによって座席Ａ、Ｃ、Ｄに対して出力された音響の漏れ音の程度とを、視覚を通じて対比可能に表示する表示部１９ａと、を備えた。【選択図】図６
2009147813.tif 000002
【特許請求の範囲】
【請求項１】
複数の聴取位置に対して夫々異なる音響を出力する音響出力手段と、
前記複数の聴取位置のうちの第一の聴取位置における、前記音響出力手段によって該第一の聴取位置を除く聴取位置に対して出力された音響の漏れ音の程度と、前記複数の聴取位置のうちの第二の聴取位置における、前記音響出力手段によって該第二の聴取位置を除く聴取位置に対して出力された音響の漏れ音の程度とを、視覚を通じて対比可能に表示する表示手段と、
を備える音響システム。
【請求項２】
前記表示手段は、前記第一の聴取位置への漏れ音の程度を示す第一の画像と、前記第二の聴取位置への漏れ音の程度を示す第二の画像と、を表示し、
前記第一の画像および前記第二の画像は、前記表示手段による対比表示において、前記第一の聴取位置への漏れ音の程度と前記第二の聴取位置への漏れ音の程度との関係に対応した相対的な大きさを有する、
請求項１に記載の音響システム。
【請求項３】
前記表示手段による表示において、前記第一の画像および前記第二の画像は、前記複数の聴取位置が配置された空間に対応する所定の表示領域内に、互いに境界を介して隣接して表示され、
前記表示手段は、前記境界を、前記第一の聴取位置への漏れ音の程度と前記第二の聴取位置への漏れ音の程度との関係に基づいて決定された位置に表示する、
請求項２に記載の音響システム。
【請求項４】
ユーザによる操作を受け付ける受付手段と、
前記受付手段によって受け付けられた操作の内容に従って、前記第一の聴取位置および第二の聴取位置のうち、何れか一方の聴取位置に対して前記音響出力手段によって出力される音響に係る出力音響設定を行う設定手段を更に備え、
前記表示手段は、前記設定手段による出力音響設定の内容に応じて、前記音響出力手段によって出力された音響による、前記第一の聴取位置への漏れ音の程度と、前記第二の聴取位置への漏れ音の程度とを、視覚を通じて対比可能に表示する、
請求項１から３の何れか一に記載の音響システム。
【請求項５】
前記受付手段によって受け付けられた操作の内容に従って、前記音響出力手段によって出力されている音響に係る出力音響設定の内容を保存する設定内容保存手段を更に備え、
前記設定手段は、前記受付手段によって受け付けられた、保存された設定内容を呼び出す操作に従って、前記設定内容保存手段によって保存された設定内容を読み出して、出力音響設定を行う、
請求項４に記載の音響システム。
【請求項６】
複数の聴取位置に対して夫々異なる音響を出力する音響システムを設定する方法であって、
ユーザによる操作を受け付ける受付ステップと、
前記受付ステップで受け付けられた操作の内容に従って、前記複数の聴取位置のうちの第一の聴取位置および第二の聴取位置のうち、何れか一方の聴取位置に対して前記音響システムによって出力される音響に係る出力音響設定を行う設定ステップと、
前記設定ステップにおける出力音響設定の内容に応じて、前記第一の聴取位置における、前記音響出力手段によって該第一の聴取位置を除く聴取位置に対して出力された音響の漏れ音の程度と、前記第二の聴取位置における、前記音響出力手段によって該第二の聴取位置を除く聴取位置に対して出力された音響の漏れ音の程度とを、視覚を通じて対比可能
に表示する表示ステップと、
を備える、音響システムの設定方法。
【請求項７】
前記受付手段によって受け付けられた操作の内容に従って、前記音響出力手段によって出力されている音響に係る出力音響設定の内容を保存する設定内容保存ステップを更に備え、
前記設定ステップでは、前記受付ステップで受け付けられた、保存された設定内容を呼び出す操作に従って、前記設定内容保存ステップによって保存された設定内容が読み出されて、出力音響設定が行われる、
請求項６に記載の、音響システムの設定方法。
【発明の詳細な説明】
【技術分野】
【０００１】
本発明は、複数の聴取位置に対して夫々異なる音響を出力することが可能な音響システムに関する。
【背景技術】
【０００２】
従来、出力音を制御することにより生成される音響空間に対応するイメージを表示し、ユーザの指示に合わせてこのイメージを変化させ、更にイメージの変化に対応して出力音を変化させる音響空間制御装置がある（特許文献１を参照）。
【０００３】
また、車両のタイプを示す文字情報およびパターンデータを表示し、選択された車両タイプに対応したイコライザ特性の調整を行う車載用音響装置や（特許文献２を参照）、選択されたシートポジションを示すパターンデータを表示し、シートポジションに対応して配置されたスピーカから出力される音声信号の信号レベルおよび遅延時間を調整する車載用音響装置（特許文献３を参照）、音場モードや音量レベルを示すパターンデータを表示して、所望する音場モードや音量を設定させる車載用音響装置がある（特許文献４および５を参照）。
【特許文献１】特開２００７−１１６３６３号公報
【特許文献２】特開平１０−３２８９０号公報
【特許文献３】特開平１０−３２８９８号公報
【特許文献４】特開平１０−３２８９９号公報
【特許文献５】特開平１０−３２９００号公報
【発明の開示】
【発明が解決しようとする課題】
【０００４】
従来、複数の聴取位置に対して夫々異なる音響を出力することで、聴取位置に居る聴取者ごとに異なる音響を聴かせる音響システムがある。しかし、このような音響システムでは、夫々の聴取位置のために出力された音響の漏れ音が、他の聴取位置の聴取環境に影響を与えるという問題が発生する。この漏れ音による影響を低減させるために、漏れ音の打ち消しやイコライジング等の技術が用いられている。このような技術によれば、例えば車両内で各席の聴取者ごとに異なる音源を聴きたいといった場合に、各聴取位置の音響上の独立性を高めることが可能である。
【０００５】
しかし、漏れ音による影響を低減させる技術を用いたとしても、漏れ音による影響を完全に無くすことは、現在の技術では困難である。また、漏れ音が気になったり、漏れ音を不快と感じたりする程度は、聴取者によって異なるために、ある聴取者にとっては気にならない漏れ音が、他の聴取者にとっては不快な音響となるといった状況が発生しうる。
【０００６】
即ち、複数の聴取位置に対して夫々異なる音響を出力する音響システムにおいて、聴取者にとって良好な音響環境を得るためには、互いに異なる音源等が出力されている複数の聴取位置の間で、互いへの漏れ音の大きさを、個人によって異なる聴取者の感覚に基づいて調整する必要がある。また、漏れ音の程度は、ボリューム調整やイコライジング等によって定まるために、聴取者の感覚に依らずに漏れ音の程度を把握することは困難であった。
【０００７】
本発明は、上記した問題に鑑み、複数の聴取位置に対して夫々異なる音響を出力する音響システムにおいて、聴取者の感覚に依らずに、聴取位置間の漏れ音の程度を簡易に把握可能とすることを課題とする。
【課題を解決するための手段】
【０００８】
本発明は、上記した課題を解決するために、複数の聴取位置における漏れ音の程度を、視覚を通じて対比可能に表示することで、聴取者の感覚に依らずに、聴取位置間の漏れ音の程度を簡易に把握することを可能にした。
【０００９】
詳細には、本発明は、複数の聴取位置に対して夫々異なる音響を出力する音響出力手段と、前記複数の聴取位置のうちの第一の聴取位置における、前記音響出力手段によって該第一の聴取位置を除く聴取位置に対して出力された音響の漏れ音の程度と、前記複数の聴取位置のうちの第二の聴取位置における、前記音響出力手段によって該第二の聴取位置を除く聴取位置に対して出力された音響の漏れ音の程度とを、視覚を通じて対比可能に表示する表示手段と、を備える音響システムである。
【００１０】
ここで、複数の聴取位置とは、音響システムによって音響が出力される空間に定義された複数の聴取位置である。音響出力手段は、聴取位置毎に、異なる音源に係る音響や、異なる出力音響設定に係る音響を出力する。即ち、本発明に係る音響システムは、このような音響出力手段によって、聴取位置毎に異なる音響環境を提供する音響システムである。
【００１１】
このような音響システムでは、夫々の聴取位置のために出力された音響の漏れ音が、他の聴取位置の聴取環境に影響を与える。本発明は、複数の聴取位置における漏れ音の程度を、視覚を通じて対比可能に表示する表示手段を備えることで、複数の聴取位置の音響上の独立度を、ユーザが直感的に把握できるようにした。
【００１２】
なお、聴取位置の音響上の独立度とは、音響が提供される聴取位置における、その聴取位置に対して届けることを目的として出力された音響以外の音響（漏れ音）の影響の度合いを示す指標である。即ち、独立度は、聴取位置に対する漏れ音の大きさに対応する。但し、独立度は、完全に定義された基準に基づいて算出されなければならない指標といった性格のものではなく、漏れ音の程度を把握できる程度の指標であればよい。例えば、独立度は、漏れ音の目安となる音量であってもよいし、聴取者が漏れ音によって感じる違和感の程度を段階的なレベルに置き換えて表現したものであってもよい。
【００１３】
また、前記表示手段は、前記第一の聴取位置への漏れ音の程度を示す第一の画像と、前記第二の聴取位置への漏れ音の程度を示す第二の画像と、を表示し、前記第一の画像および前記第二の画像は、前記表示手段による対比表示において、前記第一の聴取位置への漏れ音の程度と前記第二の聴取位置への漏れ音の程度との関係に対応した相対的な大きさを有してもよい。
【００１４】
即ち、本発明に拠れば、複数の聴取位置における漏れ音を、表示される画像の大きさによって対比させることで、ユーザに直感的に聴取位置間の漏れ音の程度を把握させることが可能となる。
【００１５】
また、前記表示手段による表示において、前記第一の画像および前記第二の画像は、前記複数の聴取位置が配置された空間に対応する所定の表示領域内に、互いに境界を介して隣接して表示され、前記表示手段は、前記境界を、前記第一の聴取位置への漏れ音の程度と前記第二の聴取位置への漏れ音の程度との関係に基づいて決定された位置に表示してもよい。
【００１６】
ここで、所定の表示領域とは、表示手段による表示における、複数の聴取位置が配置された空間を表す領域である。第一の画像および第二の画像は、この所定の表示領域内に、互いに境界を介して隣接して表示される。そして、この境界は、前記第一の聴取位置への
漏れ音の程度と前記第二の聴取位置への漏れ音の程度との関係に基づいて表示位置が決定される。即ち、前記第一の聴取位置への漏れ音の程度と前記第二の聴取位置への漏れ音の程度との関係が変化すると、この境界の表示位置は移動する。
【００１７】
即ち、本発明に拠れば、境界によって区切られた各領域（第一の画像および第二の画像）の大きさ（表示面積）が、境界の移動に伴って変化することによって、所定の空間内の複数の聴取位置における音響上の独立度が相対的な関係を有することを、ユーザに直感的に把握させることが可能となる。
【００１８】
また、本発明に係る音響システムは、ユーザによる操作を受け付ける受付手段と、前記受付手段によって受け付けられた操作の内容に従って、前記第一の聴取位置および第二の聴取位置のうち、何れか一方の聴取位置に対して前記音響出力手段によって出力される音響に係る出力音響設定を行う設定手段を更に備え、前記表示手段は、前記設定手段による出力音響設定の内容に応じて、前記音響出力手段によって出力された音響による、前記第一の聴取位置への漏れ音の程度と、前記第二の聴取位置への漏れ音の程度とを、視覚を通じて対比可能に表示してもよい。
【００１９】
ここで、出力音響設定には、音量設定や、イコライジング等が含まれる。これらのパラメータが設定されることによって、音響出力手段による出力音響の特性が変化し、各聴取位置の独立度に影響を与える。本発明に拠れば、出力音響設定の内容に応じて、表示手段による漏れ音の程度の表示が更新され、ユーザは、設定を変更しながら、視覚を介して容易且つ直感的に設定内容によって変化する独立度を把握し、設定内容にフィードバックすることが出来る。
【００２０】
また、本発明に係る音響システムは、前記受付手段によって受け付けられた操作の内容に従って、前記音響出力手段によって出力されている音響に係る出力音響設定の内容を保存する設定内容保存手段を更に備え、前記設定手段は、前記受付手段によって受け付けられた、保存された設定内容を呼び出す操作に従って、前記設定内容保存手段によって保存された設定内容を読み出して、出力音響設定を行ってもよい。本発明によれば、直感的な操作によって調節された独立度を再現することが可能な音響設定の内容を簡易な操作で保存し、または呼び出すことが可能となる。
【００２１】
また、本発明は、音響システムの設定方法としても把握することが出来る。即ち、本発明は、複数の聴取位置に対して夫々異なる音響を出力する音響システムを設定する方法であって、ユーザによる操作を受け付ける受付ステップと、前記受付ステップで受け付けられた操作の内容に従って、前記複数の聴取位置のうちの第一の聴取位置および第二の聴取位置のうち、何れか一方の聴取位置に対して前記音響システムによって出力される音響に係る出力音響設定を行う設定ステップと、前記設定ステップにおける出力音響設定の内容に応じて、前記第一の聴取位置における、前記音響出力手段によって該第一の聴取位置を除く聴取位置に対して出力された音響の漏れ音の程度と、前記第二の聴取位置における、前記音響出力手段によって該第二の聴取位置を除く聴取位置に対して出力された音響の漏れ音の程度とを、視覚を通じて対比可能に表示する表示ステップと、を備える、音響システムの設定方法である。
【発明の効果】
【００２２】
本発明によって、複数の聴取位置に対して夫々異なる音響を出力する音響システムにおいて、聴取者の感覚に依らずに、聴取位置間の漏れ音の程度を簡易に把握することが可能となる。
【発明を実施するための最良の形態】
【００２３】
本発明に係る音響システムおよび音響システムの設定方法の実施の形態について、図面に基づいて説明する。
【００２４】
＜音響システムの構成＞
図１は、本実施形態に係る音響システムの構成を示す図である。本実施形態に係る音響システム１は、４席の座席Ａ、Ｂ、Ｃ、Ｄを有する車両に設置された車載用音響システム１であり、システム全体を制御する制御部１１と、複数の音源から入力された音響信号を選択するセレクタ１２と、セレクタ１２によって選択された音源から入力されたアナログ音響信号をデジタル音響信号に変換するＡ／Ｄ変換器１３と、デジタル音響信号を制御するＤＳＰ（Ｄｉｇｉｔａｌ  Ｓｉｇｎａｌ  Ｐｒｏｃｅｓｓｏｒ）１４と、ＤＳＰ１４から出力されたデジタル音響信号をアナログ音響信号に変換するＤ／Ａ変換器１５と、Ｄ／Ａ変換器１５によって出力されたアナログ音響信号を増幅するアンプ（増幅器）１６と、増幅された音響信号の入力を受けて、音響を出力するスピーカ１７ａ、１７ｂ、１７ｃ、１７ｄと、予め準備されたパラメータの組み合わせである複数のプリセットパターンを保持する記憶部１８と、制御部１１によってＤＳＰ１４等から読み出された設定内容等に基づいて生成された画像を出力する表示部１９ａと、ユーザによる各種操作を受け付ける操作受付部１９ｂと、を備える。
【００２５】
本実施形態に係る音響システム１は、複数の音源からの入力を受け付けて、車両内の夫々の座席（聴取位置）Ａ、Ｂ、Ｃ、Ｄに対して配置された複数組のスピーカ１７ａ、１７ｂ、１７ｃ、１７ｄによって、夫々の座席に対して異なる音源からの音響を出力すること、または異なる音響設定が適用された音響を出力することが可能な音響システム１である。以下、単に「スピーカ１７」と記載した場合には、ステレオ２チャンネルや５．１チャンネル等の、単一の音場を生成するための一組のスピーカセットを指すものとする。また、複数の音源としては、例えば、ＣＤ／ＤＶＤドライブ、ＭＤドライブ、ラジオ受信機（ＡＭ／ＦＭ）、テレビジョン放送受信機（アナログ放送／デジタル放送）、ナビゲーションシステム２０等がある。
【００２６】
制御部１１は、後述する表示部１９ａおよび操作受付部１９ｂによって実現されるＧＵＩ（Ｇｒａｐｈｉｃａｌ  Ｕｓｅｒ  Ｉｎｔｅｒｆａｃｅ）を介して入力された指示に従って、セレクタ１２によって選択される音源を指定する処理や、ＤＳＰ１４によって行われる処理に使用される各種パラメータを設定する処理を行うことによって、システム全体を制御する。
【００２７】
セレクタ１２は、複数の音源から入力される音響信号のうち、操作受付部１９ｂを介して指示され、制御部１１によって指定された音源から入力された音響信号を選択する。即ち、本実施形態に係る音響システム１によれば、座席Ａ（運転席）に設置されたスピーカ１７ａからはナビゲーションシステム２０からの音響を出力し、座席Ｂ（助手席）に設置されたスピーカ１７ｂからはラジオ受信機からの音響を出力し、座席Ｃ、Ｄ（後部座席）に設置されたスピーカ１７ｃ、１７ｄからはＣＤ／ＤＶＤドライブからの音響を出力する、といったことが可能である。なお、車両内のすべての座席に対して同一の音源からの音響、または同一の音響設定が適用された音響を出力することも可能である。
【００２８】
ＤＳＰ１４は、音響システム１においてデジタル音響信号に対する各種制御を行う装置であり、例えば、デジタル音響信号に対する音量設定処理およびイコライジング処理等を実行する。また、本実施形態に係るＤＳＰ１４は、夫々の座席において定位制御を行うための定位制御フィルタ１４ａ、および夫々の座席において漏れ音による影響を低減させるための漏れ音低減フィルタ１４ｂとして機能する。
【００２９】
定位制御フィルタ１４ａは、音源から入力された音響信号に対して、聴取者が聴覚上認
識する音響の出力位置である音像定位位置と、聴取者が聴覚上認識する仮想音響空間の広さと、を制御するための信号処理を行うフィルタである。具体的には、イコライジングによる周波数帯域ごとの音量バランスの制御や、残響音の制御等が含まれる信号処理によって、音像定位位置および仮想音響空間の制御が行われる。なお、本実施形態に係る定位制御フィルタ１４ａは、各座席用のスピーカ１７毎に、異なる設定に基づいた定位制御を行うことが可能である。即ち、本実施形態では、座席毎に、異なる音像定位位置および仮想音響空間を生成することが可能である。本実施形態では、定位制御フィルタ１４ａは、ＤＳＰ１４が定位制御フィルタ１４ａ処理のためのプログラムを実行することによって実現される。但し、定位制御フィルタ１４ａは、音響信号に対して定位制御を行うための信号処理を行う専用のプロセッサによって実現されてもよい。
【００３０】
本実施形態に係る定位制御フィルタ１４ａ用パラメータには、聴取位置（正確には、座席に着席した聴取者の頭または耳の位置）から仮想音源までの距離、聴取位置の正面軸に対する仮想音源の角度、残響音の時間、および残響音の音量が含まれる。但し、パラメータの種類は、これらの例示に限定されるものではない。そして、本実施形態では、予め定められた仮想音響空間の種別（コンサートホール、ライブハウス、カラオケボックス、リビングルーム等）ごとに、各パラメータの値が予め用意されており、記憶部１８に保持されている。なお、記憶部１８としては、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）やＨＤＤドライブ等の、一般に補助記憶装置として用いられているデバイスが用いられることが好ましい。
【００３１】
漏れ音低減フィルタ１４ｂは、ある座席（例えば後部座席）において出力されている音響に対して、その他の座席（例えば運転席および助手席）において出力されている音響の漏れ音が影響することを低減させるために、その他の座席のスピーカ１７から出力されている音響の漏れ音に対して逆位相となる音響を出力させるためのフィルタである。上記例では、後部座席用のスピーカ１７ｃ、１７ｄからは、後部座席のために出力されている音響に加えて、運転席および助手席から漏れてくる音響の逆位相音響が出力され、運転席および助手席からの漏れ音を打ち消し、漏れ音を低減させる。なお、本実施形態に係る漏れ音低減フィルタ１４ｂは、各座席用のスピーカ１７毎に、異なる設定に基づいた漏れ音低減用の音響を出力する。本実施形態では、漏れ音低減フィルタ１４ｂは、定位制御フィルタ１４ａ同様、ＤＳＰ１４が漏れ音低減フィルタ１４ｂ処理のためのプログラムを実行することによって実現される。なお、音響信号に対して漏れ音低減を行うための信号処理を行う専用のプロセッサによって実現されてもよいことも、定位制御フィルタ１４ａと同様である。
【００３２】
また、記憶部１８は、予め定義された音響設定の内容であるプリセットパターンを保持する。本実施形態において、プリセットパターンは、座席Ａ、Ｂ、Ｃ、Ｄ毎に、座席の音響上の独立度を高めたい場合に音響システム１に設定される音響設定の内容である。即ち、座席Ａの独立度を高めたい場合に適用されるプリセットパターンが読み出されて設定されると、座席Ａの音響上の独立度が高まるように、各スピーカの音量設定やＤＳＰによるイコライジングの設定が行われる。
【００３３】
ここで、座席の音響上の独立度とは、音響システム１によって音響が提供される各座席（聴取位置）に対する、その座席にアサインされたスピーカによる音響以外の音響からの影響の度合いである。即ち、独立度は、座席（聴取位置）に対する、その座席にアサインされていないスピーカからの漏れ音の大きさに対応する。ある座席に対する、その座席にアサインされていないスピーカからの漏れ音が小さいほど、独立度は高く、この漏れ音が大きいほど独立度は低い。独立度は、漏れ音の音量等に対応させた所定の数値（レベル）によって表されてもよいが、本実施形態では、漏れ音の大きさの目安をデシベルで表すこ
とで、ユーザに独立度を簡易に把握させ、且つ、独立度の高さに応じて大きさまたは領域が変化する図形を表示することによって、ユーザに独立度を直感的に把握させる。
【００３４】
表示部１９ａは、制御部１１によってＤＳＰ１４等から読み出された設定内容に基づいて生成された画像や、各座席の音響上の独立度を表示するための画像を出力し、操作受付部１９ｂは、ユーザによる各種操作の内容を受け付ける。本実施形態では、表示部１９ａおよび操作受付部１９ｂとして、生成された画像を表示するディスプレイと、ユーザからの操作を受け付けるタッチパネルとが一体化された、所謂タッチパネルディスプレイ１９が用いられる。ディスプレイの方式としては、本実施形態では液晶が用いられる。但し、ディスプレイの表示機構は液晶に限定されるものではなく、実施の形態によって、プラズマ、ＣＲＴ（Ｃａｔｈｏｄｅ  Ｒａｙ  Ｔｕｂｅ）等の各種方式から適宜最適な方式が採用されることが好ましい。同様に、タッチパネルディスプレイの検知方式としても、抵抗膜方式（感圧型）、静電容量方式等の各種方式から適宜最適な方式が採用されることが好ましい。
【００３５】
＜処理の流れ＞
次に、フローチャートおよび表示部１９ａに表示される表示画像を用いて、本実施形態における音響設定処理の流れを説明する。
【００３６】
図２は、本実施形態に係る音響システム設定処理の流れを示すフローチャートである。本フローチャートに示された処理は、ユーザによって、設定開始を指示する操作が行われ、この操作が受け付けられたことを契機として開始される。なお、以下の説明では、図３に示すナビゲーション画面４０が表示されたタッチパネルディスプレイ１９において、画面右上に表示された音響出力モード表示アイコンが選択されることで処理が開始されるが、その他の操作から処理が開始されることとしてもよい。
【００３７】
ステップＳ１０１およびＳ１０２では、座席選択モードへの遷移が行われる。図３は、本実施形態においてナビゲーション画面４０が表示されたタッチパネルディスプレイ１９の様子を示す図である。ナビゲーション画面４０には、ナビゲーションに用いられる地図画像４１、詳細地図を表示するための詳細ボタン画像４２、広域地図を表示するための広域ボタン画像４３、および音響システム１によって車両内に出力されている音響の状態を示す音響出力モード表示アイコン４４等が含まれる。
【００３８】
音響出力モード表示アイコン４４は、その形状や色彩等によって、車両内の仮想音響空間の分割状況や、夫々の座席に提供されている音源の種類等を、ユーザが視覚を通じて把握可能に表示するアイコンである。本実施形態における音響システム設定処理の説明では、前席（座席Ａ、Ｂ）と後席（座席Ｃ、Ｄ）とで異なる音源および音響設定に基づく音響が提供されているものとする。図３に示した音響出力モード表示アイコン４４は、上下に表示された略楕円によって、音源および音響設定が前席と後席とに分割されている様子を表している。例えば、前席（座席Ａ、Ｂ）に対してはＣＤ／ＤＶＤドライブから入力された音響が出力され、後席（座席Ｃ、Ｄ）に対してはテレビジョン放送受信機から入力された音響が出力される。
【００３９】
操作受付部１９ｂは、ナビゲーション画面４０が表示されたタッチパネルディスプレイ１９の右上に表示された音響出力モード表示アイコン４４（図３を参照）がタッチされたことを検知することで、座席選択モードへの遷移を指示する操作を受け付ける（Ｓ１０１）。座席選択モードへの遷移が指示されると、表示部１９ａは、図４に示す座席選択画面５０を生成して表示する（Ｓ１０２）。図４は、本実施形態において座席選択画面５０が表示されたタッチパネルディスプレイ１９の様子を示す図である。座席選択画面５０には、所定の空間（ここでは車両内の空間）を表す図形５１、所定の空間における座席を示す
座席アイコン５２ａ、５２ｂ、５２ｃ、５２ｄ（夫々座席Ａ、座席Ｂ、座席Ｃ、座席Ｄに対応する）、全ての座席を選択するための全選択ボタン画像５３、および次の音響設定ステップに進みたい場合にタッチされる設定ボタン画像５４等が含まれる。その後、処理はステップＳ１０３へ進む。
【００４０】
ステップＳ１０３およびＳ１０４では、設定の対象となる座席が選択される。操作受付部１９ｂは、図４に示す座席選択画面５０を介して、ユーザが各位置の座席を示す座席アイコン５２ａ、５２ｂ、５２ｃ、５２ｄの何れかをタッチしたことを検出することで、ユーザによる座席の選択の操作を受け付ける（Ｓ１０３）。このとき、座席は複数選択することが可能である。一つの座席を選択する場合、ユーザは何れか一の座席アイコン５２ａ、５２ｂ、５２ｃ、５２ｄにタッチすることで選択して設定ボタン画像５４にタッチするか、何れか一の座席アイコン５２ａ、５２ｂ、５２ｃ、５２ｄを二回連続タッチする。複数の座席を選択する場合、ユーザは座席アイコン５２ａ、５２ｂ、５２ｃ、５２ｄのうち、選択したい座席に対応したアイコンに任意の順でタッチして選択状態とし、選択したい座席を全て選択状態としてから、設定ボタン画像５４にタッチする。本実施形態では、座席アイコン５２ａ、５２ｂが選択されるものとする。
【００４１】
なお、ここで「タッチする」とは、タッチパネルディスプレイ１９上の所定の領域に指先等で触れることをいう。本実施形態において示した操作手順は一例であり、実施の形態によって、操作手順は適宜最適な手順が採用されることが好ましい。例えば、範囲指定を行うことで複数の座席を選択可能としてもよい。設定の対象となる座席が確定すると、表示部１９ａは、現在の音響設定内容に基づいて、図５に示す独立度設定画面６０を生成してタッチパネルディスプレイ１９に表示する（Ｓ１０４）。その後、処理はステップＳ１０５へ進む。
【００４２】
図５は、本実施形態において、表示部１９ａによって表示される独立度設定画面６０を示す図である。独立度設定画面６０には、現在設定されている音量における、各選択グループに属する座席の音響上の独立度をイメージさせるための領域６１、所定の空間における座席を示す人型アイコン６２ａ、６２ｂ、６２ｃ、６２ｄ（夫々座席Ａ、座席Ｂ、座席Ｃ、座席Ｄに対応する）、現在設定されている音響設定における漏れ音量の目安を示す数値６３ａ、数値６３ａが表示される枠画像６３ｂ、決定ボタン画像６４、戻るボタン画像６５、および境界６９が含まれる。なお、上段に表示された数値６３ａおよび枠画像６３ｂは前席（座席Ａ、Ｂ）の独立度に、下段に表示された数値６３ａおよび枠画像６３ｂは後席（座席Ｃ、Ｄ）の独立度に対応する。
【００４３】
本実施形態に係る音響システム１では、以下に説明する３つの手段によって、各座席の音響上の独立度をユーザに把握させることとしている。まず、表示部１９ａは、設定内容から推測される漏れ音の大きさ示す数値６３ａ（単位：ｄＢ）を表示することによって、独立度をユーザに簡易に把握させることとしている。この漏れ音の大きさを示す数値６３ａは目安であり、実際の漏れ音量を示すものではないが、実施の形態によっては、エラーマイク等で漏れ音の音量を把握し、実際の漏れ音量を表示することとしてもよい。
【００４４】
また、表示部１９ａは、数値６３ａが表示される枠となる枠画像６３ｂの大きさによって、各座席の音響上の独立度をユーザに把握させる。枠画像６３ｂは、独立度の高さに応じて大きさが変化する。即ち、独立度が高いほど数値６３ａが表示される枠画像６３ｂの大きさが大きく表示されるため、ユーザは、その枠画像６３ｂに対応する座席において、出力音量が他の座席に比べて相対的に大きく設定されており、この座席に対する漏れ音が小さく、この座席からの他の座席への漏れ音が大きいことを把握することが出来る。
【００４５】
更に、表示部１９ａは、座席アイコン６２ａ、６２ｂ、６２ｃ、６２ｄが表示された領
域６１の面積によって、各座席の音響上の独立度をユーザに把握させる。座席アイコン６２ａ、６２ｂ、６２ｃ、６２ｄが表示された領域６１は、選択された座席のグループごとに境界６９によって区切られ、この区切られた部分領域６１ａ、６１ｂは、境界６９が移動することで、区切られた部分領域同士の独立度の高低に応じてその面積が変化する。換言すると、部分領域６１ａ、６１ｂは、領域６１内に隣接して表示されており、その境界６９は、部分領域同士の独立度の高低に応じて表示位置が変更される。全ての区切られた部分領域６１ａ、６１ｂを合わせた表示面積は不変であるため、何れかのグループに属する座席の音響上の独立度が高まり、その部分領域の面積がより大きく表示されると、他の部分領域の面積はより小さく表示される。これによって、ユーザは、ある座席において独立度が高くなる（漏れ音が小さくなる）と、他の座席においては独立度が低くなる（漏れ音が大きくなる）という現象を認識し、各座席の音響上の独立度の、相対的な高低関係を直感的に把握することが可能である。
【００４６】
ステップＳ１０５およびＳ１０６では、呼び出されたプリセットパターンに基づく音響設定が行われる。操作受付部１９ｂは、タッチパネルディスプレイ１９における領域６１のうち、独立度を高めたい座席に対応する部分領域が２回連続タッチ（以下、ダブルタップと称する）されたことを検知することによって、ユーザによるプリセットパターンの呼出の操作を受け付ける（Ｓ１０５）。例えば、ユーザは、前席の独立度を高めたい場合には、前席に対応する部分領域６１ａをダブルタップし、後席の独立度を高めたい場合には、後席に対応する部分領域６１ｂをダブルタップする。制御部１１は、これを受けて、ステップＳ１０５における操作で指定された座席の独立度を高めるプリセットパターンを特定し、記憶部１８から設定値を読み出し、音響設定を行う（Ｓ１０６）。プリセットパターンには、例えば、独立度を高めたい座席への出力音量を上げる設定値や、独立度を高めたい座席以外の座席への出力音量を下げる設定値等が含まれる。
【００４７】
ステップＳ１０７では、タッチパネルディスプレイ１９に、音響設定により変化した独立度に基づいた画像が表示される。ステップＳ１０６における音響設定は、音量またはイコライジングに係るものであるため、この音響設定に伴って、各座席に対する漏れ音の音量が変化し、各座席の音響上の独立度が変化する。このため、表示部１９ａは、音響設定の結果に従って各座席の独立度を計算し、この独立度に基づく画像をタッチパネルディスプレイ１９に表示する（Ｓ１０７）。但し、音響設定が行われる都度独立度を計算せずに、プリセットパターンによる設定内容とこの設定内容が適用されたときの独立度との対応関係を予め記憶部１８等に保持させ、この対応関係に従って読み出された独立度を表示することとしてもよい。
【００４８】
図６は、本実施形態において、独立度設定画面６０が表示されたタッチパネルディスプレイ１９で前席に対応する部分領域６１ａがダブルタップされた後の独立度設定画面６０を示す図である。また、図７は、本実施形態において、独立度設定画面６０が表示されたタッチパネルディスプレイ１９で後席に対応する部分領域６１ｂがダブルタップされた後の独立度設定画面６０を示す図である。その後、本フローチャートに示された処理は終了する。これらの図に示された独立度設定画面６０によれば、プリセットパターンが適用され、音響設定が変更されたことに伴って、境界６９の位置が変化し、部分領域６１ａ、６１ｂの面積が変化したことがわかる。
【００４９】
本実施形態に拠れば、ユーザは、独立度を高めたい座席に対応する部分領域をダブルタップするのみで、所望の座席の音響上の独立度を高め、且つ、タッチパネルディスプレイ１９に表示された数値６３ａ、枠画像６３ｂおよび領域６１によって、座席の音響上の独立度を、視覚を介して直感的に把握することが可能である。
【００５０】
なお、上記フローチャートを用いた説明では、予め設定されたプリセットパターンを読
み出して設定することで、座席の音響上の独立度を変更したが、これに加えて、独立度を直接ユーザが指定することが可能なインターフェースを提供することで、詳細な独立度の設定を可能としてもよい。図８は、本実施形態に係る詳細設定処理の流れを示すフローチャートである。本フローチャートに示された処理は、図２に示したフローチャートを用いて説明した音響システム設定処理に続けて実行されてよい処理であり、タッチパネルディスプレイ１９に表示された独立度設定画面６０を介して、表示および操作の受付が行われる。
【００５１】
図９は、本実施形態において、独立度設定画面６０を介してユーザ操作によって直接独立度を指定する方法を示す図である。操作受付部１９ｂは、ユーザがタッチパネルディスプレイ１９上の数値６３ａまたは枠画像６３ｂが表示された領域にタッチしたことを検出することで、操作対象となる一部座席の独立度を一段階上げる操作を受け付ける（Ｓ２０１）。ユーザ操作の検出を受けて、制御部１１は、タッチされた数値６３ａまたは枠画像６３ｂに係る一部座席の独立度が一段階高まるように、音響設定を変更する（Ｓ２０２）。なお、独立度は、複数の座席間の音量および音響特性に応じた漏れ音の程度によって決定するため、操作に係る一部座席の独立度が高まると、これに連動して、他の座席の独立度が低くなる。表示部１９ａは、タッチパネルディスプレイ１９に表示される数値６３ａ、枠画像６３ｂおよび領域６１の表示を更新する（Ｓ２０３）。その後、本フローチャートに示された処理は終了する。
【００５２】
また、一部座席に対する出力音量をユーザが個別に設定可能とすることで、座席の音響上の独立度を調整することを可能としてもよい。図１０は、本実施形態に係る詳細設定処理の流れを示すフローチャートである。本フローチャートに示された処理は、図２に示したフローチャートを用いて説明した音響システム設定処理に続けて実行されてよい処理であり、タッチパネルディスプレイ１９に表示された独立度設定画面６０を介して、表示および操作の受付が行われる。
【００５３】
図１１は、本実施形態において、独立度設定画面６０を介してユーザ操作によって音量ゲージ６６を表示させる方法を示す図である。操作受付部１９ａは、操作受付部１９ｂは、ユーザによってタッチパネルディスプレイ１９上の数値６３ａまたは枠画像６３ｂが表示された領域がダブルタップされたことを検出する（Ｓ３０１）。ユーザ操作の検出を受けて、表示部１９ａは、タッチパネルディスプレイ１９に、音量ゲージ６６を表示する（Ｓ３０２）。この音量ゲージ６６は、ユーザ操作に係る一部座席に対する出力音響の音量を調整可能な音量ゲージ６６である。
【００５４】
図１２は、本実施形態において、音量ゲージ６６を用いてユーザ操作によって一部座席に対する出力音量を指定する方法を示す図である。操作受付部１９ｂは、ユーザによってタッチパネルディスプレイ１９上の音量ゲージがタッチされたことを検出する（Ｓ３０３）。なお、この際操作受付部１９ｂは、ユーザが音量ゲージ中の何れの部分にタッチしたかについても検出する。ユーザ操作の検出を受けて、制御部１１は、ユーザによってタッチされた音量ゲージ中の部分によって、音量ゲージが対応する一部座席への出力音量を調整する（Ｓ３０４）。具体的には、音量ゲージの上部へのタッチが検出された場合には、対応する一部座席への出力音量が上げられ、音量ゲージの下部へのタッチが検出された場合には、対応する一部座席への出力音量が下げられる。また、出力音量が変更されると、各座席における音響上の独立度が変化する。このため、表示部１９ａは、出力音量の変更を受けて、タッチパネルディスプレイ１９に表示される数値６３ａ、枠画像６３ｂおよび領域６１の表示を更新する（Ｓ３０５）。その後、本フローチャートに示された処理は終了する。
【００５５】
即ち、本実施形態に係る音響システム１によれば、数値６３ａ、枠画像６３ｂおよび領
域６１の表示によって、ユーザに独立度の変化を直感的に把握させながら、詳細な独立度（漏れ音量）の調整手段を提供することが可能となる。また、上記プリセットパターンを読み出して設定する方法と併用することで、はじめにプリセットパターンを呼び出して大まかな独立度の変更を行い、その後詳細な調整を行うことが可能である。本実施形態によれば、ユーザ操作によって各座席に対する出力音響の設定（音量、イコライジング等）が行われ、この設定に伴う独立度の変化に合わせて数値６３ａ、枠画像６３ｂおよび領域６１の表示が変化する。このため、本実施形態によれば、表示された数値６３ａ、枠画像６３ｂおよび領域６１によって視覚を介して各座席の音響上の独立度をイメージしながら、実際の出力音響を、聴覚を介して確認し、この作業を繰り返すことで、個人によって異なる聴取者の感覚に適した設定を容易に見つけることが可能となる。
【００５６】
なお、本実施形態では、前席（座席Ａ、Ｂ）と後席（座席Ｃ、Ｄ）とで異なる音源および音響設定に基づく音響が提供されている状態における処理について説明したが、本実施形態に係る音響システム１は、座席Ａ、Ｂ、Ｃ、Ｄの夫々において異なる音源および音響設定に基づく音響を提供することが可能な音響システム１であり、上記説明とは異なる仮想音響空間の分割状況や、音源の提供状況においても、同様の処理および表示を行うことが可能である。
【００５７】
図１３は、本実施形態における、座席の夫々で異なる音源および音響設定に基づく音響が提供されている状態で、表示部１９ａによって表示される独立度設定画面６０を示す図である。図１３に示された独立度設定画面６０によれば、座席Ａ、Ｂ、Ｃ、Ｄに対応する座席アイコン６２ａ、６２ｂ、６２ｃ、６２ｄが表示された領域６１は、夫々互いに境界６９によって区切られている。そして、座席Ａ、Ｂ、Ｃ、Ｄの独立度の高低に応じて境界６９が移動することで、部分領域６１ａ、６１ｂ、６１ｃ、６１ｄの面積が変化する。これによって、ユーザは、各座席の音響上の独立度の、相対的な高低関係を直感的に把握することが可能である。なお、本実施形態では、定員４名の車両に設けられる音響システム１について説明したが、本発明は、車載音響システムに限られず、独立音響空間を提供可能な音響システムに適用されてもよいし、車載音響システムとして提供される場合であっても、定員の人数や、車内における聴取位置の選定は、実施形態に応じて適宜設定されることが好ましい。
【００５８】
＜その他の実施形態＞
図１４は、本実施形態において、表示部１９ａによって表示される独立度設定画面６０ｂを示す図である。具体的には、本実施形態において、表示部１９ａは、上記音響システム設定処理のステップＳ１０４に対応する処理において、図５に示した独立度設定画面６０に代えて、図１４に示した独立度設定画面６０ｂを表示する。独立度設定画面６０ｂには、独立度設定画面６０と同様の表示内容である、領域６１、アイコン６２ａ、６２ｂ、６２ｃ、６２ｄ、数値６３ａ、枠画像６３ｂ、および境界６９等に加えて、プリセットボタン画像６７が含まれる。
【００５９】
本実施形態によれば、独立度設定画面６０ｂに複数のプリセットボタン画像６７を表示させ、このプリセットボタン画像６７とプリセットパターンとを対応付けることで、ユーザに好みの設定内容をプリセットパターンとして保存することが出来る。ここで保存されたプリセットパターンは、プリセットボタン画像６７にタッチすることで呼び出して設定することが可能である。
【００６０】
図１５は、本実施形態に係る設定内容保存処理の流れを示すフローチャートである。本フローチャートに示された処理は、図２に示したフローチャートを用いて説明した音響システム設定処理に続けて実行されてよい処理であり、タッチパネルディスプレイ１９に表示された独立度設定画面６０ｂを介して、表示および操作の受付が行われる。
【００６１】
操作受付部１９ｂは、ユーザがタッチパネルディスプレイ１９上の複数のプリセットボタン画像６７のうち、何れかが長押し（プリセットボタン画像６７にタッチしたまま、タッチした状態を暫く維持すること）されたことを検知することによって、ユーザによるプリセットパターンの保存の操作を受け付ける（Ｓ４０１）。ユーザ操作の検出を受けて、制御部１１は、現在適用されている音響設定の内容をＤＳＰ１４や記憶部１８等から読み出し、受け付けられた操作に係るプリセットボタン画像６７に対応するプリセットパターンとして、記憶部１８に記憶させる（Ｓ４０２）。
【００６２】
このようにして記憶されたプリセットパターンは、ユーザ操作によって呼び出すことが可能である。図１６は、本実施形態に係る設定内容呼出処理の流れを示すフローチャートである。本フローチャートに示された処理は、図２に示したフローチャートを用いて説明した音響システム設定処理に続けて実行されてよい処理であり、タッチパネルディスプレイ１９に表示された独立度設定画面６０ｂを介して、表示および操作の受付が行われる。
【００６３】
操作受付部１９ｂは、ユーザがタッチパネルディスプレイ１９上のプリセットボタン画像６７にタッチしたことを検知することで、ユーザによるプリセットパターンの呼出の操作を受け付ける（Ｓ５０１）。これを受けて、制御部１１は、タッチされたプリセットボタン画像６７に対応するプリセットパターンを特定し、記憶部１８から設定値を読み出し、音響設定を行う（Ｓ５０２）。また、音響設定が行われると、各座席における音響上の独立度が変化するため、表示部１９ａは、音響設定が行われたことを受けて、タッチパネルディスプレイ１９に表示される数値６３ａ、枠画像６３ｂおよび領域６１の表示を更新する（Ｓ５０３）。
【００６４】
本実施形態によれば、直感的な操作によって調節された独立度を再現することが可能な音響設定の内容を簡易な操作で保存し、または呼び出すことが可能である。
【図面の簡単な説明】
【００６５】
【図１】実施形態に係る音響システムの構成を示す図である。
【図２】実施形態に係る音響システム設定処理の流れを示すフローチャートである。
【図３】実施形態においてナビゲーション画面が表示されたタッチパネルディスプレイの様子を示す図である。
【図４】実施形態において座席選択画面が表示されたタッチパネルディスプレイの様子を示す図である。
【図５】実施形態において、表示部によって表示される独立度設定画面を示す図である。
【図６】実施形態において、独立度設定画面が表示されたタッチパネルディスプレイで所定の操作が行われた後の独立度設定画面を示す図である。
【図７】実施形態において、独立度設定画面が表示されたタッチパネルディスプレイで所定の操作が行われた後の独立度設定画面を示す図である。
【図８】実施形態に係る詳細設定処理の流れを示すフローチャートである。
【図９】実施形態において、独立度設定画面を介してユーザ操作によって直接独立度を指定する方法を示す図である。
【図１０】実施形態に係る詳細設定処理の流れを示すフローチャートである。
【図１１】実施形態において、独立度設定画面を介してユーザ操作によって音量ゲージを表示させる方法を示す図である。
【図１２】実施形態において、音量ゲージを用いてユーザ操作によって一部座席に対する出力音量を指定する方法を示す図である。
【図１３】実施形態において、座席の夫々で異なる音源および音響設定に基づく音響が提供されている状態で表示される独立度設定画面を示す図である。
【図１４】実施形態において、表示部によって表示される独立度設定画面を示す図である。
【図１５】実施形態に係る設定内容保存処理の流れを示すフローチャートである。
【図１６】実施形態に係る設定内容呼出処理の流れを示すフローチャートである。
【符号の説明】
【００６６】
１  音響システム
１１  制御部
１４  ＤＳＰ（Ｄｉｇｉｔａｌ  Ｓｉｇｎａｌ  Ｐｒｏｃｅｓｓｏｒ）
１７ａ、１７ｂ、１７ｃ、１７ｄ  スピーカ
１８  記憶部
１９  タッチパネルディスプレイ
１９ａ  表示部
１９ｂ  操作受付部
【図１】
2009147813.tif 000003
【図２】
2009147813.tif 000004
【図３】
2009147813.tif 000005
【図４】
2009147813.tif 000006
【図５】
2009147813.tif 000007
【図６】
2009147813.tif 000008
【図７】
2009147813.tif 000009
【図８】
2009147813.tif 000010
【図９】
2009147813.tif 000011
【図１０】
2009147813.tif 000012
【図１１】
2009147813.tif 000013
【図１２】
2009147813.tif 000014
【図１３】
2009147813.tif 000015
【図１４】
2009147813.tif 000016
【図１５】
2009147813.tif 000017
【図１６】
2009147813.tif 000018